(57)【要約】【課題】つる植物により形成されたグリーンカーテンの使い勝手を良くする。【解決手段】一階窓部３１の屋外側には複数のプランタが並べて設置させており、それらプランタに植えられたつる植物４１によりグリーンカーテンが形成されている。各プランタには、上方に向けて延びる絡ませワイヤ４３が接続されており、つる植物４１は絡ませワイヤ４３に絡み付くことで上方に向けて伸びている。プランタ及び絡ませワイヤ４３はプランタ支持レール及びワイヤ支持レール５１により支持されており、一階窓部３１に沿って略水平方向に移動可能とされている。プランタには、隣のプランタとの最小離間距離を規制するプランタ規制部材が取り付けられており、絡ませワイヤ４３には、隣の絡ませワイヤ４３との最小離間距離を規制するワイヤ規制部材が取り付けられている。【選択図】図１
2013013351.tif 000002
【特許請求の範囲】
【請求項１】
プランタに植えられたつる植物が、前記プランタの上方に延びる絡ませ部材に絡ませた状態で建物開口部の外側に配置される建物の緑化構造であって、
前記建物開口部の外側において複数の前記プランタが並べて設置されるプランタ設置部に設けられ、前記プランタを前記絡ませ部材と共に前記プランタ設置部における所定の移動方向に移動可能とする第１移動案内手段と、
前記建物開口部よりも高い位置に設けられ、複数の前記プランタごとの各絡ませ部材を吊り下げ支持するとともに前記プランタの前記所定の移動方向と同じ方向に移動可能とする第２移動案内手段と、
を備え、
各プランタ及び各絡ませ部材が、前記第１移動案内手段及び前記第２移動案内手段により移動することで互いの間隔を変更可能であることを特徴とする建物の緑化構造。
【請求項２】
隣り合う前記プランタの間には、それらプランタ間の離間距離を縮める場合にその最小離間距離を規制する距離規制部材が設けられていることを特徴とする請求項１に記載の建物の緑化構造。
【請求項３】
前記距離規制部材は、隣り合う前記プランタの間に存在せず且つ前記最小離間距離を規制しない非規制位置に変位可能であることを特徴とする請求項２に記載の建物の緑化構造。
【請求項４】
隣り合う前記プランタに設けられた各絡ませ部材の間には、前記所定の移動方向と交差する方向に板面が延びるようにして板状部材が設けられていることを特徴とする請求項１乃至３のいずれか１項に記載の建物の緑化構造。
【請求項５】
前記建物開口部の屋外側に屋外床部が設けられ、該屋外床部の下方空間に前記プランタが配置されており、
前記屋外床部には、前記プランタの出し入れが可能な床開口部が設けられ、該床開口部には蓋体が開閉可能に取り付けられており、
前記蓋体には、前記絡ませ部材及び該絡ませ部材に絡み付いた前記つる植物を上方に取り出し可能な床貫通孔が設けられ、該床貫通孔は、前記プランタの移動方向に沿って延びる長孔とされていることを特徴とする請求項１乃至４のいずれか１項に記載の建物の緑化構造。
【請求項６】
前記絡ませ部材には、前記屋外床部の下方空間において前記絡ませ部材の周囲を前記つる植物ごと覆う筒状部材が取り付けられていることを特徴とする請求項５に記載の建物の緑化構造。
【請求項７】
前記プランタ及び前記絡ませ部材の少なくとも一方には、それらプランタ及び絡ませ部材を移動させるための持ち手部材が取り付けられていることを特徴とする請求項１乃至６のいずれか１項に記載の建物の緑化構造。
【請求項８】
前記絡ませ部材が、下端部が前記プランタに連結され、上端部が前記第２移動案内手段に移動可能に支持された棒材により構成されていることを特徴とする請求項１乃至７のいずれか１項に記載の建物の緑化構造。
【発明の詳細な説明】
【技術分野】
【０００１】
本発明は、建物の緑化構造に関するものである。
【背景技術】
【０００２】
住宅等の建物の緑化を図るために建物や敷地において植物が栽培されていることがある。特に、つる植物が栽培されている場合には、そのつる植物を建物内の日除けや風除け、目隠しとして利用することができる。例えば特許文献１には、つる植物を栽培するプランタがバルコニーの手摺部付近に設置されている構成が開示されている。この構成では、手摺部につる植物が絡み付くことによりいわゆるグリーンカーテンが形成され、窓部から部屋内に差し込む太陽光をグリーンカーテンにより遮ることが可能となる。
【先行技術文献】
【特許文献】
【０００３】
【特許文献１】特開２００２−１３８５７１号公報
【発明の概要】
【発明が解決しようとする課題】
【０００４】
しかしながら、つる植物を手摺部に絡み付かせることでグリーンカーテンが形成された構成では、グリーンカーテンの位置や形状がつる植物の成長に伴って徐々に変化することはあっても、グリーンカーテンにより太陽光や風を遮蔽できる態様を適宜変更することは困難である。したがって、例えば日中において日射方向や風向きが変わることを考えると、つる植物を建物内の日除けや風除け、目隠しなどに利用する構成に関して改善の余地がある。
【０００５】
本発明は、つる植物により形成されたグリーンカーテンの使い勝手を良くすることを主たる目的とする。
【課題を解決するための手段】
【０００６】
上記課題を解決するために、第１の発明の建物の緑化構造は、プランタに植えられたつる植物が、前記プランタの上方に延びる絡ませ部材に絡ませた状態で建物開口部の外側に配置される建物の緑化構造であって、前記建物開口部の外側において複数の前記プランタが並べて設置されるプランタ設置部に設けられ、前記プランタを前記絡ませ部材と共に前記プランタ設置部における所定の移動方向に移動可能とする第１移動案内手段と、前記建物開口部よりも高い位置に設けられ、複数の前記プランタごとの各絡ませ部材を吊り下げ支持するとともに前記プランタの前記所定の移動方向と同じ方向に移動可能とする第２移動案内手段と、を備え、各プランタ及び各絡ませ部材が、前記第１移動案内手段及び前記第２移動案内手段により移動することで互いの間隔を変更可能であることを特徴とする。
【０００７】
第１の発明によれば、複数のプランタを並べることでいわゆるグリーンカーテンが作られた構成において、つる植物が絡んでいる絡ませ部材が移動可能になっているため、日中において日射方向や風向きに合わせてつる植物の位置を適宜変更することができる。特に、隣り合うプランタ間の離間距離が変更可能であるため、つる植物同士を近付けること及び遠ざけることが可能となる。ここで、つる植物同士が近付いた状態となるようにプランタが配置されている場合には、グリーンカーテンは全体の幅が小さく各プランタのつる植物が互いに密な配置となるため、グリーンカーテンが有する日除けや風除け、目隠しなどの性能を高めることができる。一方、つる植物同士が遠ざかった状態となるようにプランタが配置されている場合には、グリーンカーテンは全体の幅が大きく各プランタのつる植物が互いに粗な配置となるため、グリーンカーテンによりある程度の日除け、風除け、目隠し等を行わせつつも（換言すれば、太陽光や風の取り込みを適度に行わせつつも）、それら日除け、風除け、目隠し等の実施範囲を広げることが可能となる。以上により、つる植物により形成されたグリーンカーテンの使い勝手を良くすることができる。
【０００８】
第２の発明では、隣り合う前記プランタの間には、それらプランタ間の離間距離を縮める場合にその最小離間距離を規制する距離規制部材が設けられている。
【０００９】
プランタ及び絡ませ部材について互いの離間距離が変更される場合、隣り合う絡ませ部材の離間距離が比較的小さい状態、すなわち絡ませ部材同士が互いに近付いた状態になると、一の絡ませ部材に絡み付いたつる植物が隣の絡ませ部材や隣のつる植物に絡み付くことが考えられる。そして、プランタが異なる各絡ませ部材で同一のつる植物が絡み付いた場合や、隣り合うつる植物同士が絡み合た場合は、プランタ同士の離間距離を広げること（例えばグリーンカーテンを通じて太陽光や風を取り込むこと）が困難になってしまう。
【００１０】
この点、第２の発明によれば、隣り合うプランタの最小離間距離が距離規制部材により規制されるため、つる植物が隣の絡ませ部材や隣のつる植物に絡み付くことを抑制できる。したがって、グリーンカーテンを各プランタのつる植物が互いに粗な状態に移行させることがつる植物の絡み付きにより実行でないということを回避できる。
【００１１】
第３の発明では、前記距離規制部材は、隣り合う前記プランタの間に存在せず且つ前記最小離間距離を規制しない非規制位置に変位可能である。
【００１２】
プランタ間の離間距離を最小離間距離で規制した状態では、例えば台風などの強風時に絡ませ部材やつる植物が風に煽られて飛ばされることが懸念される。この点、第３の発明によれば、離間距離の規制が解除可能とされているため、強風時以外はつる植物が隣の絡ませ部材や隣のつる植物に絡み付くことを抑制できる構成において、強風時には隣り合う絡ませ部材同士を極力近付けることができる。これにより、絡ませ部材やつる植物を紐等で縛ることにより風に飛ばされにくい状態とすることができる。なお、つる植物をひとまとめにすることは、一時的であればつる植物同士を引き離すことを考えた上で問題ない。
【００１３】
第４の発明では、隣り合う前記プランタに設けられた各絡ませ部材の間には、前記所定の移動方向と交差する方向に板面が延びるようにして板状部材が設けられている。
【００１４】
第４の発明によれば、つる植物は板状部材に絡み付きにくいため、隣り合うプランタ同士が近付き過ぎても、つる植物が隣の絡ませ部材や隣のつる植物に絡み付くことを板状部材により阻止できる。したがって、グリーンカーテンを各プランタのつる植物が互いに粗な状態に移行させることがつる植物の絡み付きにより実行できないということを回避できる。
【００１５】
第５の発明では、前記建物開口部の屋外側に屋外床部が設けられ、該屋外床部の下方空間に前記プランタが配置されており、前記屋外床部には、前記プランタの出し入れが可能な床開口部が設けられ、該床開口部には蓋体が開閉可能に取り付けられており、前記蓋体には、前記絡ませ部材及び該絡ませ部材に絡み付いた前記つる植物を上方に取り出し可能な床貫通孔が設けられ、該床貫通孔は、前記プランタの移動方向に沿って延びる長孔とされている。
【００１６】
第５の発明によれば、プランタが屋外床部の下方空間に収納されているため、つる植物が地面から生えているような自然な雰囲気を屋外床部においてつくり出すことができる。しかも、床貫通孔が栽培ユニットの移動方向に沿って延びているため、自然な雰囲気のままつる植物をブラインドカーテンのようにスライド移動させることができる。加えて、屋外床部の床開口部を通じてプランタの出し入れが可能となるため、屋外床部の下方空間へのプランタの設置作業やつる植物への水やり作業を容易に行うことができる。
【００１７】
第６の発明では、前記絡ませ部材には、前記屋外床部の下方空間において前記絡ませ部材の周囲を前記つる植物ごと覆う筒状部材が取り付けられている。
【００１８】
第６の発明によれば、つる植物が屋外床部の下方空間にて伸びることを筒状部材により抑制できる。このため、例えば屋外床部を支持する脚部につる植物が絡み付いてプランタ及び絡ませ部材を移動させることができないという不都合を抑制できる。これは、住人等がつる植物の絡み付きをほぐす作業を屋外床部の下方空間にて行う必要がないという点で特に効果的である。
【００１９】
第７の発明では、前記プランタ及び前記絡ませ部材の少なくとも一方には、それらプランタ及び絡ませ部材を移動させるための持ち手部材が取り付けられている。
【００２０】
第７の発明によれば、つる植物を移動させる作業、すなわちグリーンカーテンの幅を変える作業を持ち手部材により容易に行うことができる。これにより、グリーンカーテンの態様を変更する際の操作性を高めることができる。
【００２１】
第８の発明では、前記絡ませ部材が、下端部が前記プランタに連結され、上端部が前記第２移動案内手段に移動可能に支持された棒材により構成されている。
【００２２】
第８の発明によれば、絡ませ部材が棒材により構成されているため、作業者は絡ませ部材を持つことによりつる植物を容易に移動させることができる。これにより、グリーンカーテンの態様を変更する際の操作性を高めることができる。
【図面の簡単な説明】
【００２３】
【図１】一階窓部周辺の建物の外観を示す斜視図。
【図２】一階窓部周辺の建物の構成を示す概略断面図。
【図３】ワイヤ規制部材及びプランタ規制部材の構成を説明するための図。
【図４】板状部材の構成を説明するための別の例の図。
【発明を実施するための形態】
【００２４】
以下、本発明を具体化した一実施形態について図面を参照しつつ説明する。本実施形態では、本発明を二階建ての建物として具体化している。図１は一階窓部３１周辺の建物１０の外観を示す斜視図、図２は一階窓部３１周辺の建物１０の構成を示す概略断面図である。
【００２５】
図１、図２に示すように、建物１０は、基礎１１の上に設置された建物本体１２を有している。建物本体１２は、下階部としての一階部分１２ａと、上階部としての二階部分１２ｂとを有しており、一階部分１２ａ及び二階部分１２ｂは上下に隣り合っている。一階部分１２ａには一階居室１５が設けられ、二階部分１２ｂには二階居室１６が設けられている。それら居室１５，１６はそれぞれリビングや寝室、キッチンなどとされており、屋内空間に相当する。
【００２６】
二階部分１２ｂにはバルコニー２１が設けられており、バルコニー２１は、建物本体１２から屋外側に向けて張り出した張出部により形成されている。バルコニー２１は、床面を形成するバルコニー床部２２と、バルコニー床部２２の周縁部に沿って延びるバルコニー手摺部２３とを有している。建物本体１２の外壁２５には、二階居室１６とバルコニー２１とを連通する二階窓部２６が設けられている。二階窓部２６は掃き出し窓とされており、二階居室１６とバルコニー２１との行き来を可能としている。
【００２７】
建物本体１２の外壁２５には、一階居室１５と屋外空間とを連通する一階窓部３１が設けられている。一階窓部３１は掃き出し窓とされており、一階居室１５と屋外空間との行き来を可能としている。なお、一階窓部３１が建物開口部に相当する。
【００２８】
一階窓部３１の屋外側には、外壁２５から屋外側に向けて延びる屋外床部３３が設けられている。屋外床部３３はバルコニー２１の下方に配置されており、バルコニー２１のバルコニー床部２２が屋外床部３３や一階窓部３１にとっての庇となっている。屋外床部３３は縁側やウッドデッキとされており、その床面は一階居室１５の床面とほぼ同じ高さとされている。屋外床部３３は地上面ＧＬから上方に離間した位置に配置されており、床脚部３４により下方から支持されている。床脚部３４は屋外床部３３の周縁部に沿って延びるように配置されており、屋外床部３３と地上面ＧＬとの間の空間が見えないようにするための目隠しとなっている。
【００２９】
一階窓部３１の屋外側には、植物栽培用のプランタ４２が一階窓部３１に沿って横並びに複数設置されており、各プランタ４２にはつる植物４１がそれぞれ植えられている。つる植物４１としては、例えばアサガオやゴーヤ等、夏の日差しを遮るのに好適な一年草が用いられる。ただし、一年草に代えて多年草を用いることも可能である。各プランタ４２には、プランタ４２から上方に向けて延びる絡ませ部材としての絡ませワイヤ４３がそれぞれ接続されており、各プランタ４２に植えられたそれぞれのつる植物４１は絡ませワイヤ４３に絡み付くことで上方に向けて伸びるように成長する。
【００３０】
ここでは、プランタ４２とそのプランタ４２に接続された絡ませワイヤ４３とにより、つる植物４１を栽培するための栽培ユニット４５が構成され、栽培ユニット４５が横並びに複数設けられていることとする。各栽培ユニット４５において、つる植物４１が絡ませワイヤ４３にそれぞれ絡み付くことにより、一階窓部３１の屋外側においていわゆるグリーンカーテン（つる植物カーテン）が形成されることになる。
【００３１】
栽培ユニット４５において、絡ませワイヤ４３は、一階部分１２ａの階高とほぼ同じ長さ寸法を有しており、一階窓部３１の屋外側においてバルコニー床部２２と屋外床部３３とに架け渡された状態で配置されている。絡ませワイヤ４３の表面には凹凸又は水平方向に延びる凸状部が形成されており、つる植物４１が絡ませワイヤ４３に絡み付きやすくなっている。プランタ４２は、陶磁器や合成樹脂材料により形成された平面略円形状の植木鉢であり、上端の開放部の直径が底部よりも大きくされている。絡ませワイヤ４３はプランタ４２の底部の略中央に固定されており、プランタ４２の開放部を通じて上方に向けて延びている。プランタ４２内には絡ませワイヤ４３の周囲を埋めるように養土が充填されており、つる植物４１は絡ませワイヤ４３の周辺に植えられている。
【００３２】
各栽培ユニット４５は、それら栽培ユニット４５の並び方向に移動可能とされている。具体的には、栽培ユニット４５において、絡ませワイヤ４３はワイヤ支持レール５１により上方のバルコニー床部２２から吊り下げ支持されており、絡ませワイヤ４３の上端部はワイヤ支持レール５１に沿ってスライド移動することが可能となっている。プランタ４２はプランタ支持レール５２により下方から支持されており、プランタ支持レール５２に沿って絡ませワイヤ４３と同じ方向にスライド移動することが可能となっている。なお、プランタ支持レール５２はプランタ４２の移動を案内する第１移動案内手段に相当し、ワイヤ支持レール５１は絡ませワイヤ４３の移動を案内する第２移動案内手段に相当する。
【００３３】
ワイヤ支持レール５１は、バルコニー床部２２の下面に設けられており、そのバルコニー床部２２の先端部（外壁２５とは反対側の端部）に沿って延びている。絡ませワイヤ４３の上端部は、ワイヤ支持レール５１に係合する係合部５５とされており、係合部５５はワイヤ支持レール５１に沿って移動する。この場合、絡ませワイヤ４３はバルコニー床部２２から吊り下げられた状態とされ、その状態で、絡ませワイヤ４３が延びる方向と交差する方向に移動することになる。
【００３４】
各絡ませワイヤ４３の上端部（係合部５５）には、人が持つための持ち手部材としての操作棒５６がそれぞれ接続されている。操作棒５６は上下方向に延びるように上端が係合部５５に接続され、下端が人の手が届く位置にある。この場合、住人等は操作棒５６を操って絡ませワイヤ４３の上端部を移動させることができる。このため、つる植物４１をかき分けて絡ませワイヤ４３を持たなくても、絡ませワイヤ４３を移動させる作業を容易に行うことができる。
【００３５】
プランタ支持レール５２は、屋外床部３３の下方空間において地上面ＧＬの上に設置されており、屋外床部３３の先端部（外壁２５とは反対側の端部）に沿ってワイヤ支持レール５１と平行に延びている。プランタ４２はプランタ支持レール５２の上に載置されており、その状態で、絡ませワイヤ４３と同じ方向に移動する。したがって、絡ませワイヤ４３が住人等により外力が加えられることで移動した場合、プランタ４２はさらにその絡ませワイヤ４３に引っ張られた状態で移動することになる。なお、屋外床部３３の下方空間がプランタ設置部に相当する。
【００３６】
屋外床部３３には、栽培ユニット４５の絡ませワイヤ４３を屋外床部３３の上方に取り出すためのワイヤ取出口６１が設けられている。ワイヤ取出口６１は、屋外床部３３を上下方向に貫通する床貫通孔であり、プランタ支持レール５２の上方においてそのプランタ支持レール５２に沿って延びている。このため、絡ませワイヤ４３が屋外床部３３を上下に貫通している構成であっても、その絡ませワイヤ４３をプランタ４２ごと移動させることができる。
【００３７】
ワイヤ取出口６１には、そのワイヤ取出口６１においてつる植物４１ごと絡ませワイヤ４３の周囲を覆う筒状部材６２が挿通されている。筒状部材６２は合成樹脂材料や金属材料により形成されており、プランタ４２内の養土表面からワイヤ取出口６１を通じて屋外床部３３よりも所定高さ（例えば１０ｃｍ）だけ上方に突出している。これにより、プランタ４２が屋外床部３３の下方に配置されている構成において、つる植物４１が屋外床部３３の下方空間にて例えば屋外床部３３の床脚部３４に絡み付くことを防止できる。
【００３８】
屋外床部３３においては、プランタ支持レール５２の上方に床開口部６４が設けられている。床開口部６４には、床面を形成する床板片６５が着脱可能に取り付けられており、床板片６５は取り付けられた状態で床開口部６４を閉鎖している。床開口部６４はプランタ４２の出し入れが可能な大きさ及び形状とされている。また、ワイヤ取出口６１は床板片６５に形成されている。したがって、床板片６５を取り外すことで住人等は屋外床部３３の上側に居ながらにして床開口部６４を通じてプランタ４２をプランタ支持レール５２の上に載置することができる。なお、床板片６５が蓋体に相当する。
【００３９】
各栽培ユニット４５が移動可能な構成では、隣り合うプランタ４２及び絡ませワイヤ４３の間隔をつる植物４１ごと可変とすることができる。このため、各栽培ユニット４５及びつる植物４１により形成されるグリーンカーテンを、一階窓部３１の中央屋外側に配置することや端部屋外側に配置することが可能となる。さらに、隣り合う栽培ユニット４５を互いに近づけたり遠ざけたりすることで、グリーンカーテン全体の幅を変更することができる。これは、グリーンカーテンの透け具合（つる植物４１の粗密の状態）を変更することにもなる。
【００４０】
ここで、栽培ユニット４５同士を近づけた状態のままだと、つる植物４１が隣の絡ませワイヤ４３や隣のつる植物４１に絡み付き、栽培ユニット４５を遠ざけた状態に戻すことができなくなってしまうと懸念される。
【００４１】
これに対して、本実施形態では、栽培ユニット４５同士を近付ける場合に、それら栽培ユニット４５の最小離間距離が規制部材６７，６８により規制されるようにした。これにより、隣り合う栽培ユニット４５について、つる植物４１が隣の絡ませワイヤ４３や隣のつる植物４１に絡まない程度の離間距離が確保され、つる植物４１の絡み付きにより栽培ユニット４５同士を遠ざけることができないということを抑制できる。
【００４２】
ここでは、規制部材６７，６８について図３を参照しつつ説明する。図３は規制部材６７，６８の構成を説明するための図である。なお、図３は建物１０における栽培ユニット４５周辺を屋外側から見た図である。また、図３においては、（ａ）に栽培ユニット４５の最小離間距離が規制されている場合の図を示し、（ｂ）に栽培ユニット４５の最小離間距離が規制されていない場合の図を示している。
【００４３】
図３に示すように、絡ませワイヤ４３の係合部５５には、隣り合う絡ませワイヤ４３同士の離間距離が縮まる場合にその最小離間距離を規制するワイヤ規制部材６７が設けられている。ワイヤ規制部材６７は、係合部５５から側方に向けて突出した突出部であり、隣の栽培ユニット４５の係合部５５又はワイヤ規制部材６７と当接することで、絡ませワイヤ４３の上端同士の最小離間距離が所定の距離より小さくなることを規制する。ここでの所定の距離は、つる植物４１が隣の絡ませワイヤ４３又は隣のつる植物４１に絡み付くことができない大きさ（例えば２０ｃｍ）とされている。
【００４４】
プランタ４２には、隣り合うプランタ４２同士の離間距離が縮まる場合にその最小離間距離を規制するプランタ規制部材６８が設けられている。プランタ規制部材６８は、プランタ４２から側方に向けて突出した突出部であり、隣の栽培ユニット４５のプランタ４２又はプランタ規制部材６８と当接することで、プランタ４２同士の最小離間距離が所定の距離より小さくなることを規制する。ここでの所定の距離は、ワイヤ規制部材６７についてと同様に、つる植物４１が隣の絡ませワイヤ４３又は隣のつる植物４１に絡み付くことができない大きさ（例えば２０ｃｍ）とされている。なお、プランタ規制部材６８は、距離規制部材に相当する。
【００４５】
ワイヤ規制部材６７は、プランタ４２ごとの各絡ませワイヤ４３を挟んだ位置にそれぞれ設けられている。また、絡ませワイヤ４３は中心線を中心に回転可能な状態でワイヤ支持レール５１に係合されており、絡ませワイヤ４３が回転することでワイヤ規制部材６７は絡ませワイヤ４３の周方向に沿って移動する。したがって、ワイヤ規制部材６７が隣の絡ませワイヤ４３との間に挟まれない位置（非規制位置）に移動すると、隣り合う絡ませワイヤ４３の最小離間距離がワイヤ規制部材６７では規制されない状態となる。なお、絡ませワイヤ４３は、例えばストッパにより回転が阻止されており、住人等がストッパによる回転阻止を解除することで、ワイヤ規制部材６７が非規制位置に移行可能となる。
【００４６】
同様に、プランタ規制部材６８は、プランタ４２おいて上下方向に延びる中心を挟んだ位置にそれぞれ設けられており、それらプランタ規制部材６８はプランタ４２の周面において離間している。また、プランタ４２は中心線を中心に回転可能な状態でプランタ支持レール５２に設置されており、プランタ４２が回転することでプランタ規制部材６８はプランタ４２の周方向に沿って移動する。したがって、プランタ規制部材６８が隣のプランタ４２との間に挟まれない位置（非規制位置）に移動すると、隣り合うプランタ４２の最小離間距離がプランタ規制部材６８では規制されない状態となる。なお、プランタ４２は、例えばストッパにより回転が阻止されており、住人等がストッパによる回転阻止を解除することで、プランタ規制部材６８が非規制位置に移行可能となる。
【００４７】
プランタ規制部材６８は、プランタ４２の下端に配置されている。ここで、プランタ４２は上端の直径が底部よりも大きくされているため、絡ませワイヤ４３とともにプランタ４２が移動する際に、プランタ規制部材６８がプランタ支持レール５２に当接することにより、プランタ４２が移動方向に向けて倒れることを防止できる。
【００４８】
図１に示すように、各栽培ユニット４５が一階窓部３１の屋外側全体に拡がるように配置されている場合、すなわち栽培ユニット４５同士が遠ざけて配置されている場合、グリーンカーテンとしては全体の幅が大きく各プランタ４２のつる植物が互いに粗な状態となっている。この場合、一階居室１５や屋外床部３３に対して、グリーンカーテンにおいてつる植物４１の隙間を通じて太陽光や風を適度に取り込むことや、屋内側にいる住人等に視覚的な開放感を与えることができる。
【００４９】
図３（ａ）に示すように、各栽培ユニット４５間の離間距離が規制部材６７，６８により規制された状態で、それら栽培ユニット４５同士が近付けて配置されている場合、グリーンカーテンとしては全体の幅が小さく各プランタ４２のつる植物が互いに密な状態となっている。この場合、グリーンカーテンについて、一階居室１５や屋外床部３３を対象とした日除けや風除け、目隠しなどの性能が高められている。しかも、仮にこの状態でしばらくの間（例えば数日間）放置されたとしても、規制部材６７，６８により栽培ユニット４５（プランタ４２）同士の最小離間距離が確保されているため、つる植物４１が隣の絡ませワイヤ４３や隣のつる植物４１に絡み付きにくくなっている。つまり、栽培ユニット４５を遠ざける方向に移動させることができなくなってしまうという不都合が生じにくくなっている。
【００５０】
図３（ｂ）に示すように、各栽培ユニット４５間の離間距離が規制部材６７，６８により規制されていない状態で、それら栽培ユニット４５がひとまとめに配置されている場合、複数の絡ませワイヤ４３をつる植物４１ごと紐等で縛ることが可能となる。これにより、例えば台風などの強風時において、絡ませワイヤ４３やつる植物４１が風に煽られにくくすることができる。
【００５１】
以上詳述した本実施形態によれば、以下の優れた効果が得られる。
【００５２】
複数のプランタ４２を並べることでいわゆるグリーンカーテンが作られた構成において、つる植物４１が絡んでいる絡ませワイヤ４３が一階窓部３１に沿って略水平方向に移動可能となっているため、日中において日射方向や風向きに合わせてつる植物４１の位置を適宜変更することができる。特に、隣り合う栽培ユニット４５間の離間距離が変更可能であるため、つる植物４１同士を近付けること及び遠ざけることが可能となる。
【００５３】
ここで、つる植物４１同士が近付いた状態となるようにプランタ４２が配置されている場合には、グリーンカーテンは全体の幅が小さく各プランタ４２のつる植物４１が互いに密な配置となるため、グリーンカーテンが有する日除けや風除け、目隠しなどの性能を高めることができる。一方、つる植物４１同士が遠ざかった状態となるようにプランタ４２が配置されている場合には、グリーンカーテンは全体の幅が大きく各プランタ４２のつる植物４１が互いに密な配置となるため、グリーンカーテンによりある程度の日除け、風除け、目隠し等を行わせつつも（太陽光や風の取り込みを適度に行わせつつも）、それら日除け、風除け、目隠し等の実施範囲を広げることが可能となる。
【００５４】
以上により、つる植物４１により形成されたグリーンカーテンの使い勝手を良くすることができる。
【００５５】
プランタ４２がプランタ支持レール５２に沿って移動可能とされているため、例えばプランタ４２を持ち上げて移動させるという必要がなく、プランタ４２に付着した養土等により手が汚れるということもない。したがって、プランタ４２をつる植物４１ごと移動させることでグリーンカーテンの状態が変更されるという構成において、グリーンカーテンの状態を変更する作業の容易化を図ることができる。
【００５６】
隣り合うプランタ４２同士の近付き過ぎがプランタ規制部材６８により規制されるため、つる植物４１が隣の絡ませワイヤ４３や隣のつる植物４１に絡み付くことを抑制できる。したがって、仮にグリーンカーテンを各栽培ユニット４５のつる植物４１が互いに密な状態で放置したとしても、グリーンカーテンを各栽培ユニット４５のつる植物４１が互いに粗な状態に移行させることがつる植物４１の絡み付きにより実行できないということを回避できる。
【００５７】
加えて、隣り合う絡ませワイヤ４３同士の近付き過ぎがワイヤ規制部材６７により規制されるため、隣り合う栽培ユニット４５同士が近付き過ぎることを抑制できる。これにより、つる植物４１の絡み付きにより栽培ユニット４５同士を遠ざかる方向に移動させることができないということを回避できる。
【００５８】
プランタ規制部材６８が非規制状態に移行可能であるため、隣り合うプランタ４２を極力近付けた状態とすることができる。この場合、各絡ませワイヤ４３をつる植物４１ごと紐等でひとまとめに縛ることにより、例えば大風などの強風時において、それら絡ませワイヤ４３やつる植物４１が風に煽られて飛ばされるということを抑制できる。同様に、ワイヤ規制部材６７も非規制状態に移行可能であるため、隣り合う絡ませワイヤ４３を極力近付けた状態とすることができる。これにより、各絡ませワイヤ４３をつる植物４１ごとひとまとめにすることがより一層容易となる。なお、つる植物４１をひとまとめにすることは、一時的であればつる植物４１同士を引き離すことを考えた上で問題ない。
【００５９】
ワイヤ規制部材６７及びプランタ規制部材６８は、それぞれ絡ませワイヤ４３の上端部（係合部５５）及びプランタ４２というつる植物４１絡み付きにくい位置に取り付けられているため、つる植物４１が規制部材６７，６８を足掛かりとして隣の栽培ユニット４５に絡み付くということを抑制できる。
【００６０】
プランタ規制部材６８がプランタ支持レール５２に当接することでプランタ４２の転倒が防止される。この場合、転倒防止用の専用部材をプランタ４２やプランタ支持レール５２に取り付ける必要がないため、プランタ４２の転倒防止を実現できる構成の簡易化を図ることができる。
【００６１】
プランタ４２が屋外床部３３の下方に収納されているため、屋外床部３３においてはつる植物４１があたかも地上面ＧＬから生えているかのような自然な雰囲気をつくり出すことができる。しかも、ワイヤ取出口６１が栽培ユニット４５の移動方向に沿って延びているため、自然な雰囲気を保ちつつつる植物４１をブラインドカーテンのように移動させることができる。
【００６２】
屋外床部３３の下方空間において絡ませワイヤ４３の周囲がつる植物４１ごと筒状部材６２により覆われているため、つる植物４１が屋外床部３３の下方にて伸びることを抑制できる。このため、例えば床脚部３４など屋外床部３３の下方にある部材につる植物４１が絡み付いて、栽培ユニット４５を移動させることができないという不都合を抑制できる。これは、住人等がつる植物４１の絡み付きをほぐす作業を屋外床部３３の下方にて行う必要がないという点で特に効果的である。
【００６３】
絡ませワイヤ４３の上端部に操作棒５６が接続されているため、住人等は操作棒５６の操作量の分だけ絡ませワイヤ４３の上端部を移動させることができる。したがって、絡ませワイヤ４３を意図した分だけ移動させることが容易となる。これに対して、住人等が絡ませワイヤ４３の中間部分を持って移動させようとした場合は、住人等の操作量に比べて絡ませワイヤ４３の上端部の移動量が小さくなってしまい、絡ませワイヤ４３を意図した分だけ移動させることが困難になってしまう。
【００６４】
屋外床部３３において、プランタ４２の出し入れが可能な床開口部６４が床板片６５により塞がれているため、住人等はプランタ４２の上方において屋外床部３３の上を使用することができる。したがって、屋外床部３３の下方にプランタ４２が設置された構成において、屋外床部３３の使い勝手が悪くなることを抑制できる。
【００６５】
（他の実施形態）
本発明は上記実施形態の記載内容に限定されず、例えば次のように実施してもよい。
【００６６】
（１）隣り合う絡ませワイヤ４３の間には、つる植物４１が隣の絡ませワイヤ４３や隣のつる植物４１に絡み付くことを防止する板状部材７１が設けられていてもよい。例えば、図４に示すように、板状部材７１がワイヤ支持レール５１及びプランタ支持レール５２により移動可能に支持されている構成とする。図４は板状部材７１の構成を説明するための図であり、図４においては、（ａ）に一階窓部３１周辺の外観を示す正面図を示し、（ｂ）にプランタ４２と板状部材７１との位置関係を示す平面を示す。
【００６７】
板状部材７１は合成樹脂材料により長尺板状に形成されており、隣り合う栽培ユニット４５の間に上下方向に延びた状態で配置されている。板状部材７１の上端部７１ａは、隣り合う絡ませワイヤ４３の間に配置され、ワイヤ支持レール５１に対してスライド移動可能に取り付けられている。また、板状部材７１の下端部７１ｂは、隣り合うプランタ４２の間に配置され、プランタ支持レール５２に対してスライド移動可能に取り付けられている。この場合、板状部材７１は、その板状部材７１の移動方向とは交差する方向に延びており、その状態のままワイヤ支持レール５１及びプランタ支持レール５２に沿って移動する。
【００６８】
板状部材７１の幅寸法は、つる植物４１の巻き付きや絡み付きが生じにくい大きさとされている。したがって、各栽培ユニット４５のつる植物４１が互いに密な状態とされても、つる植物４１が隣の絡ませワイヤ４３や隣のつる植物４１に絡み付くことを板状部材７１により阻止できる。したがって、栽培ユニット４５間の最小離間距離が規制部材６７，６８により規制されていなくても、つる植物４１の絡み付きにより栽培ユニット４５同士を遠ざけることができないという不都合を回避できる。
【００６９】
（２）上記実施形態では、栽培ユニット４５が建物開口部としての一階窓部３１に沿って移動する構成としたが、栽培ユニット４５は一階窓部３１に対して近付く又は遠ざかる方向に移動してもよい。例えば、ワイヤ支持レール５１及びプランタ支持レール５２が外壁２５と略直交する方向に延びるように配置されている構成とする。
【００７０】
（３）プランタ４２は、屋外床部３３の上方に設置されていてもよい。例えば、プランタ支持レール５２が屋外床部３３の上に載置された構成とする。
【００７１】
（４）栽培ユニット４５は、二階部分１２ｂにおいて二階窓部２６の屋外側に設置されていてもよい。例えば、栽培ユニット４５がバルコニー２１に設置された構成とする。この構成では、屋根の軒先部の下方にバルコニー２１が配置されており、ワイヤ支持レール５１が軒先部の下面に取り付けられ、プランタ支持レール５２が屋外床部としてのバルコニー床部２２の上側に配置されている。プランタ支持レール５２はバルコニー手摺部２３に取り付けられており、プランタ４２はバルコニー手摺部２３に沿って移動する。この場合、プランタ支持レール５２は、バルコニー手摺部２３の上に載置されていてもよく、バルコニー手摺部２３の側方に配置されていてもよい。なお、この場合、バルコニー２１がプランタ設置部に相当する。
【００７２】
（５）絡ませ部材としては、金属材料により形成された絡ませワイヤ４３の他に、紐や合成樹脂材料により線状に形成された部材や、金属材料や合成樹脂材料により形成された棒状部材、長尺状に形成された網状部材などが挙げられる。特に、絡ませ部材が棒材（すなわち、変形しにくく、比較的硬い長尺材）により形成されている場合には、作業者は絡ませ部材を持ってその絡ませ部材やプランタ４２を移動させることが容易となる。つまり、グリーンカーテンの態様を変更する際の操作性を高めることができる。
【００７３】
また、絡ませ部材は、プランタ４２の底部に接続されているのではなく、プランタ４２の外周部に接続されていてもよい。この場合でも、絡ませ部材がプランタ４２から上方に延びる構成を実現できる。
【００７４】
（６）第２移動案内手段としてのワイヤ支持レール５１は、バルコニー床部２２ではなく外壁２５の屋外面に対して取り付けられていてもよい。このように、ワイヤ支持レール５１は一階窓部３１等の建物開口部よりも上方に配置されていることが好ましい。
【００７５】
（７）ワイヤ規制部材６７は絡ませワイヤ４３に対して着脱可能に取り付けられていてもよい。この場合、ワイヤ規制部材６７が取り付けられた状態が、絡ませワイヤ４３同士の最小離間距離を規制する規制状態に相当し、ワイヤ規制部材６７が取り外された状態が非規制状態に相当する。同様に、プランタ規制部材６８はプランタ４２に対して着脱可能に取り付けられていてもよい。この場合、プランタ規制部材６８が取り付けられた状態が、プランタ４２同士の最小離間距離を規制する規制状態に相当し、プランタ規制部材６８が取り外された状態が非規制状態に相当する。
【００７６】
（８）規制手段としてのプランタ規制部材６８及びワイヤ規制部材６７は、プランタ４２及び絡ませワイヤ４３に取り付けられていなくてもよい。例えば、プランタ規制部材６８はプランタ支持レール５２に取り付けられ、ワイヤ規制部材６７はワイヤ支持レール５１に取り付けられている構成とする。この構成では、プランタ規制部材６８は、隣り合うプランタ４２の間においてプランタ支持レール５２に沿って移動可能とされており、それらプランタ４２に挟まれることによりプランタ４２同士の近付き過ぎを規制する。同様に、ワイヤ規制部材６７は、隣り合う絡ませワイヤ４３の間においてワイヤ支持レール５１に沿って移動可能とされており、それら絡ませワイヤ４３に挟まれることにより絡ませワイヤ４３同士の近付き過ぎを規制する。
【００７７】
（９）持ち手部材としての操作棒５６は、絡ませワイヤ４３の下端部に接続されていてもよく、プランタ４２に接続されていてもよい。いずれの場合でも、作業者は操作棒５６を持つことにより絡ませワイヤ４３やプランタ４２を直接持つことなくつる植物４１を変化させることができる。つまり、グリーンカーテンの態様を容易に変化させることができる。
【符号の説明】
【００７８】
１０…建物、３１…建物開口部としての一階窓部、３３…屋外床部、４１…つる植物、４２…プランタ、４３…絡ませ部材としての絡ませワイヤ、５１…第２移動案内手段としてのワイヤ支持レール、５２…第１移動案内手段としてのプランタ支持レール、５６…持ち手部材としての操作棒、６１…床貫通孔としてのワイヤ取出口、６２…筒状部材、６５…蓋体としての床板片、６７…規制手段としてのワイヤ規制部材、６８…規制手段としてのプランタ規制部材。
【図１】
2013013351.tif 000003
【図２】
2013013351.tif 000004
【図３】
2013013351.tif 000005
【図４】
2013013351.tif 000006